(57)【要約】      （修正有）【課題】複数の区画部でポスター等を掲示するもので、特に駅の構内等で複数の区画部でポスター等を掲示する際、簡単な操作でポスターの貼着又は貼り変えが容易にでき、各区画部を単独又は任意の組合せでポスター等を貼着でき、視認し易いポスターを掲示することのできるポスター貼着装置を提供する。【解決手段】複数の区画部でポスター等を掲示するポスター貼着装置において、各区画部の周縁部に粘着剤シートを設置し、各区画部を単独又は任意の組合せでポスター等を貼着又は貼り変え自在に構成し、外枠の上下及び左右でヒンジを介して回動するカバーがポスターのエッジを均一に係止するように構成したポスター貼着装置である。【選択図】図１
0003150451.tif 000002
【実用新案登録請求の範囲】
【請求項１】
複数の区画でポスター等を掲示するポスター貼着装置において、各区画部の周縁部に粘着剤シートを設置し、各区画部を単独又は任意の組合せでポスター等を貼着又は貼り変え自在に構成し、外枠の上下及び左右でヒンジを介して回動するカバーがポスターのエッジを均一に係止するように構成したことを特徴とするポスター貼着装置。
【請求項２】
外枠の上下及び左右にヒンジを介して回動し、ポスターのエッジを均一に係止するカバーは積層する樹脂プレートからなり、ビスでヒンジと固定されており、更にポスター押え部には鋲が埋め込まれており、ポスターの押え補助として構成されていることを特徴とする請求項１記載のポスター貼着装置。
【請求項３】
複数の区画部のうち、不使用区画部における粘着剤シートは埃付着防止兼用のカバーによって保護されるように構成したことを特徴とする請求項１記載のポスター貼着装置。
【請求項４】
隣接して掲示されるポスターが相互の隣接部分において、マグネットを収納した着脱自在の縦方向中枠によって均一に係止できる構成としたことを特徴とする請求項１記載のポスター貼着装置。
【請求項５】
縦方向中枠は中央部にマグネットが収納されており、両サイドに透明カバーが一体的に延在し、上下両端部は外枠の上下間に嵌着される構成としたことを特徴とする請求項１記載のポスター貼着装置。
【考案の詳細な説明】
【技術分野】
【０００１】  本考案はポスター貼着装置に関し、特に駅の構内等で複数の区画部でポスター等を掲示する際、簡単な操作でポスターの貼着又は貼り変えが容易にでき、各区画部を単独又は任意の組合せでポスター等を貼着でき、歩行者が視認し易いポスターを掲示することのできるポスター貼着装置に関するものである。
【背景技術】
【０００２】  従来、複数区画を有するポスター掲示板では、主に選挙ポスター等を掲示するポスター掲示板等が考案され特許出願されている。
【先行技術文献】
【０００３】
【特許文献１】  特開平７−２６８８０号公報
【特許文献２】  特開平９−１０１７５５号公報
【特許文献２】  特開２００６−１７１３９５号公報
【０００４】  前記せる特開平７−２６８８０号は、選挙用ポスター掲示板であって、合成樹脂板からなる掲示板と該掲示板の周囲及び表裏のポスター掲示面の仕切り境界に設けた仕切枠桟からなり、その内部へ掲示板を出し入れするものであった。
【０００５】  また、前記せる特開平９−１０１７５５号は、周縁をフレーム材で囲まれた掲示プレートをフレーム間相互横方向またはフレームと支柱とを嵌合し、順次接続できる構造のものであった。
【０００６】  また、前記せる特開２００６−１７１３９５号は表面に貼付用区画線、掲示番号等を印刷し、裏面に粘着剤を塗布した掲示板表示用シートからなる選挙ポスター掲示板である。
【考案の概要】
【考案が解決しようとする課題】
【０００７】  前記せる特開平７−２６８８０号は、掲示面に透明シートを設けたことが主張されているが、ポスターと透明シートの空隙部が残り、ポスターを視認しづらい個所が生じてしまう問題があった。【０００８】  また、特開平９−１０１７５５号は、支柱間に複数の掲示プレートを係合溝と突条によって順次連結するものであるが、作業性が悪く手間がかかる問題があった。【０００９】  また、特開２００６−１７１３９５号は、掲示板表示シートとポスターとが積層されて表示されるので、皺がよったりするのでポスター表面が不均一で見づらい問題があった。【００１０】  複数の区画部でポスター等を掲示するものでは、特に駅の構内等で複数の区画部でポスター等を掲示する際、簡単な操作でポスターの貼着又は貼り変えが容易にでき、各区画部を単独又は任意の組合せでポスター等を貼着でき、視認し易いポスターを掲示することのできるポスター貼着装置を提供することが本考案の課題である。
【課題を解決するための手段】
【００１１】  複数の区画でポスター等を掲示するポスター貼着装置において、各区画の周縁部に粘着剤シートを設置し、各区画部を単独又は任意の組合せでポスター等を貼着又は貼り変え自在に構成し、外枠の上下及び左右でヒンジを介して回動するカバーがポスターのエッジを均一に係止するように構成し、外枠の上下及び左右にヒンジを介して回動し、ポスターのエッジを均一に係止するカバーは積層する樹脂プレートからなり、ビスでヒンジと固定されており、更にポスター押え部には鋲が埋め込まれており、ポスターの押え補助として構成し、複数の区画のうち、不使用区画における粘着剤シートは埃付着防止兼用のカバーによって保護されるように構成し、且つ、隣接して掲示されるポスターが相互の隣接部分において、マグネットを収納した着脱自在の縦方向中枠によって均一に係止できる構成とし、縦方向フレームは中央部にマグネットが収納されており、両サイドに透明カバーが一体的に延在し、上下両端部は外枠の上下間に嵌着される構成としたことを特徴とするポスター貼着装置を提供する。
【考案の効果】
【００１２】  本考案のポスター貼着装置は、以上説明したような構成であるので、特に駅の構内等で複数の区画部でポスター等を掲示する際、簡単な操作でポスターの貼着又は貼り変えが容易にでき、各区画部を単独又は任意の組合せでポスター等を貼着でき、歩行者が視認し易いポスターを掲示することのできるポスター貼着装置を提供することができる。
【図面の簡単な説明】
【００１３】
【図１】本考案ポスター貼着装置の正面図である。
【図２】図１の部分拡大図である。
【図３】図２のＡ−Ａ線断面図である。
【図４】図２のＢ−Ｂ線断面図である。
【図５】図２のＣ−Ｃ線断面図である。
【図６】縦方向中枠の水平断面図である。
【図７】図６の分解図である。
【図８】既存の掲示板ボードに本考案ポスター貼着装置を配置した水平断面図である。
【考案を実施するための形態】
【００１４】  以下、図面に基づき本考案のポスター貼着装置の実施例１を具体的に説明する。次いで既存の掲示板に本考案のポスター貼着装置を配置する場合の実施例２を説明する。
【実施例１】
【００１５】  図１乃至図５に示すとおり、各区画部４１，４２，４３，４４の周縁部に粘着剤シート８を設置し、各区画部４１，４２，４３，４４を単独又は任意の組合せでポスター６等を粘着剤シート８に対して貼着し、次いで、上側外枠１及び下側外枠３の上下、縦方向外枠２の左右でヒンジ９を介して回動するカバー１０がポスター６のエッジを均一に係止するように構成されている。【００１６】  ポスター６を貼着する際、上側外枠１及び下側外枠３の上下、縦方向外枠２の左右でヒンジ９を介して回動するカバー１０は、図３乃至図５に示すように、外方向に開放されており、ポスター６を貼着後に図中矢印で示すように閉ざされてカバー１０がポスター６のエッジを均一に係止するように構成されている。【００１７】  ヒンジ９を介して回動し、ポスター６のエッジを均一に係止するカバー１０は積層する樹脂プレートからなり、ビス９１でヒンジ９と固定されており、更に上側のポスター押え部分には図４に示すように鋲９２が埋め込まれており、ポスターの押え補助として構成されている。【００１８】  複数の区画部４１，４２，４３，４４のうち、不使用区画部における粘着剤シート８は埃付着防止兼用のカバー１０によって保護される。【００１９】  ポスター６を隣接して掲示する場合について、図６乃至図７に基づいて説明する。
縦方向中枠５はマグネット１１を内側に保持するマグネットホルダー１３と該マグネットホルダー１３の外面に接着固定した透明カバー５１からなり、ポスター６を貼着していない場合は、図６に示すようにマグネット１１がスチール薄板７を吸引しているので、透明カバー５１はスペーサー１２に押し付けられている。【００２０】  縦方向中枠５を取り外した状態は図７に示す通りであり、ポスター６をスペーサー１２に当接させて縦方向中枠５を図７中の矢印のように押し付ければ、隣接して掲示されるポスター６が相互の隣接部分において均一に係止される。【００２１】  なお、縦方向中枠５は中央部にマグネット１１が収納されており、両サイドに透明カバー５１が一体的に延在し、上下両端部は外枠の上下間に嵌着される構成となっている。
【実施例２】
【００２２】  既存の掲示板に本考案のポスター貼着装置を配置する場合の実施例２を図８に基づいて説明する。【００２３】  図８に示すように、既存掲示板フレーム１５を囲んで保持する既存掲示板外枠１４の内側に本考案ポスター貼着装置を装着することができる。【００２４】  既存掲示板フレーム１５がアルミニウムや木質の非磁性体で構成されている場合は、図７に示すように表面にスチール薄板７が当接されるように本考案ポスター貼着装置を設置すれば、実施例１の場合と同様にポスター６をカバー１０で均一に押えることができる。
【産業上の利用可能性】
【００２５】  本考案のポスター貼着装置は、以上説明したような構成であるので、特に駅の構内等で複数の区画部でポスター等を掲示する際、簡単な操作でポスターの貼着又は貼り変えが容易にでき、各区画部を単独又は任意の組合せでポスター等を貼着でき、しかもポスターの表面に透明シールやガラス等を積層した表示ではないので、歩行者が視認し易いポスターを掲示することのできるので、作業性や視認性に優れているので、このような場所に用いると産業上の利用可能性は極めて高いものである。
【符号の説明】
【００２６】１    上側外枠
２    縦方向外枠
３    下側外枠
４１  区画部
４２  区画部
４３  区画部
４４  区画部
５    縦方向中枠
５１  透明カバー
６    ポスター
７    スチール薄板
８    粘着剤シート
９    ヒンジ
９１  ビス
９２  鋲
１０  カバー
１１  マグネット
１２  スペーサー
１３  マグネットホルダー
１４  既存掲示板外枠
１５  既存掲示板フレーム
【図１】
0003150451.tif 000003
【図２】
0003150451.tif 000004
【図３】
0003150451.tif 000005
【図４】
0003150451.tif 000006
【図５】
0003150451.tif 000007
【図６】
0003150451.tif 000008
【図７】
0003150451.tif 000009
【図８】
0003150451.tif 000010